(57)【要約】【課題】低コスト化と小型化を図れる記録媒体再生装置を提供する。【解決手段】記録媒体再生装置１は機器本体３と搬送ユニット４と駆動機構６を備えている。搬送ユニット４は回転することで搬送経路Ｒに沿ってＣＤを搬送するローラを備えている。駆動機構６は駆動源部５７とスライド駆動部５９とピックアップ移動部６０と切り換え機構５８とを備えている。駆動源部５７はモータ６１を備えている。スライド駆動部５９はローラと連動して回転する二段歯車７２を備えている。ピックアップ移動部６０は光ピックアップ８６に螺合したねじ軸８５と連動して回転するかさ歯車８３を備えている。切り換え機構５８は揺動アーム６４とモータ６１により回転される伝達歯車６５ｂを備えている。揺動アーム６４は伝達歯車６５ｂが二段歯車７２と噛み合う第１の位置とかさ歯車８３と噛み合う第２の位置とに亘って揺動自在に機器本体３に支持されている。【選択図】　　　図７
2004145913.tif 000002
【特許請求の範囲】
【請求項１】
記録媒体を機器本体内の再生位置に位置させて、この記録媒体に記録された情報を読み出す記録媒体再生装置において、
前記記録媒体を前記機器本体に設けられた記録媒体挿入口から前記再生位置に至る搬送経路に沿って搬送する搬送機構と、
前記記録媒体から情報を読み出すピックアップ部を移動させるピックアップ移動部と、
駆動源からの駆動力を前記搬送機構に伝える第１の位置と、前記駆動源からの駆動力を前記ピックアップ移動部に伝える第２の位置と、に亘って変位自在な切り換え機構と、を備え、
前記切り換え機構は、前記記録媒体を搬送する際には前記第１の位置となり、前記記録媒体から情報を読み出す際には前記第２の位置となることを特徴とする記録媒体再生装置。
【請求項２】
前記搬送機構は、前記記録媒体に接触するローラと、前記機器本体に回転自在に支持されかつ前記ローラと連動して回転する第１の歯車とを備え、
前記ピックアップ移動部は、前記ピックアップ部と螺合したねじ軸と、前記ねじ軸と連動して回転する第２の歯車とを備え、
前記切り換え機構は、前記機器本体に一端部を中心として揺動自在に支持された揺動アームと、前記揺動アームの他端部に回転自在に支持されかつ前記駆動源の駆動力により回転される伝達歯車を備え、
前記揺動アームは、前記第１の位置で前記伝達歯車が前記第１の歯車と噛み合い、第２の位置で前記伝達歯車が前記第２の歯車と噛み合う位置に位置付けられることを特徴とする請求項１記載の記録媒体再生装置。
【請求項３】
前記記録媒体を搬送する際には前記切り換え機構を前記第１の位置に保ち、前記記録媒体から情報を読み出す際には前記切り換え機構を前記第２の位置に保ち、前記駆動源からの駆動力を伝える先を変更する際には前記切り換え機構を第１の位置と前記第２の位置とに亘って変位自在とする切り換えロック機構を備えたことを特徴とする請求項２記載の記録媒体再生装置。
【請求項４】
前記切り換えロック機構は、前記機器本体に回転自在に支持されたロックアームを備え、このロックアームは、前記揺動アームを前記第１の位置に保つ第１の規制位置と、前記第１の位置と前記第２の位置とに亘って変位自在とする許容位置と、前記第２の位置に保つ第２の規制位置とに亘って前記機器本体に回転自在に支持されたアーム本体と、前記アーム本体から前記搬送機構に向かって突出した規制突起とを備え、前記ロックアームは前記第１の規制位置から前記第２の規制位置に向かって付勢されており、
前記搬送機構は、前記機器本体に前記記録媒体の搬送方向に沿ってスライド自在に支持されかつ内側に前記規制突起を通す溝を有したスライド部材を備え、
前記溝は、狭部と該狭部より幅が広い広部とを備え、
前記ローラが前記記録媒体を搬送する際に、前記規制突起が前記狭部内に位置して前記アーム本体の回転が規制されて前記ロックアームは前記第１の規制位置に保たれ、
前記記録媒体が前記再生位置に位置付けられると、前記規制突起が前記広部内に位置して前記アーム本体の回転が許容される許容位置をへて前記ロックアームは前記第２の規制位置に位置付けられることを特徴とする請求項３記載の記録媒体再生装置。
【請求項５】
前記搬送機構は、
前記機器本体に回転自在に支持されかつ前記ローラを回転自在に支持するとともに前記スライド部材のスライドと連動して前記駆動源からの駆動力をローラに伝える接続位置と前記駆動源からの駆動力のローラへの伝達を解除する解除位置とに亘って回転するローラアームを備え、
前記記録媒体を搬送する際に、前記ローラアームが前記接続位置となり、
前記記録媒体が前記再生位置に位置付けられると、スライド部材のスライドに連動して前記ローラアームが回転して前記解除位置となることを特徴とする請求項４記載の記録媒体再生装置。
【請求項６】
前記機器本体は、前記記録媒体を回転させる回転テーブルを回転自在に支持した板状のシャーシ本体を備え、
前記揺動アームと前記ロックアームは、前記シャーシ本体の表面に取り付けられ、前記伝達歯車と第１の歯車と第２の歯車とは前記シャーシ本体の表面の裏側の裏面に取り付けられていることを特徴とする請求項４または請求項５記載の記録媒体再生装置。
【請求項７】
前記揺動アームと前記ロックアームのアーム本体は、同一平面上に位置していることを特徴とする請求項４ないし請求項６のうちいずれか一項に記載の記録媒体再生装置。
【発明の詳細な説明】
【０００１】
【発明の属する技術分野】
本発明は、例えば、Ｃｏｍｐａｃｔ　Ｄｉｓｃなどの記録媒体から情報を読み出す記録媒体再生装置に関する。
【０００２】
【従来の技術】
例えば、移動体としての自動車などのインストルメントパネル（以下インパネと呼ぶ）には、記録媒体再生装置としてのＣＤプレーヤ（例えば、特許文献１参照）などが取り付けられる。ＣＤプレーヤは、Ｃｏｍｐａｃｔ　Ｄｉｓｃ（以下ＣＤと呼ぶ）などの記録媒体が記録した情報を読み出す。
【０００３】
前記ＣＤプレーヤは、前記インパネに取り付けられる機器本体と、前記機器本体に開口した記録媒体挿入口と、搬送ユニットと、前記ＣＤに記録された情報を読み出すための再生ユニット等を備えている。機器本体は、複数の板金などが互いに組み付けられて箱状に形成されている。記録媒体挿入口は、内側に前記ＣＤが通される。
【０００４】
搬送ユニットは、モータなどの駆動源を有し記録媒体挿入口内を通されたＣＤを所定の再生位置まで搬送したり、前記再生位置からＣＤを記録媒体挿入口まで搬送して該ＣＤを機器本体内から排出する。搬送ユニットは、互いに接離自在に設けられた一対の挟持部材を備えている。
【０００５】
これら一対の挟持部材のうち一方は、前記駆動源によって回転駆動される搬送ローラを備えている。搬送ローラは、前記駆動源によって回転駆動されることによって、ＣＤを搬送する。他方の挟持部材は、摩擦係数の小さい滑り部材を備えている。滑り部材は、前記搬送ローラとの間に前記ＣＤを挟んで、該ＣＤの搬送方向を案内する。搬送ユニットは、一対の挟持部材間にＣＤを挟んで、前記ＣＤを搬送する。
【０００６】
再生ユニットは、前記ＣＤを回転するために回転テーブルと、前記ＣＤに記録された情報を読み出すための光ピックアップと、前記ピックアップを前記回転テーブルの径方向に沿って移動する移動機構等を備えている。再生ユニットは、前記ＣＤを前記再生位置に位置決め（クランプ）して、回転テーブルがＣＤを回転して、光ピックアップが前記ＣＤに記録された情報を読み出す。
【０００７】
移動機構は、モータなどの駆動源と、歯車と、ねじ軸などを備えている。モータは歯車を介してねじ軸を回転する。ねじ軸は、光ピックアップと螺合している。移動機構は、駆動源がねじ軸などを回転させることにより、前記光ピックアップを回転テーブルの径方向に沿ってスライドさせる。
【０００８】
前記ＣＤは、記録媒体挿入口を通して機器本体内に挿入されると、搬送ユニットの一対の挟持部材間に挟まれて、再生位置に向かって搬送される。再生位置に至ると、前記ＣＤは、クランプされるとともに、移動機構が光ピックアップを移動して、ＣＤの所望の位置に該光ピックアップを相対させる。そして、光ピックアップが、前記ＣＤから情報を読み出す。ＣＤは、搬送ユニットにより再生位置から記録媒体挿入口まで搬送されて、記録媒体挿入口を通して機器本体外に排出される。
【０００９】
【特許文献１】
特開２０００−１２３４５３号公報
【００１０】
【発明が解決しようとする課題】
前述した従来のＣＤプレーヤは、前記搬送ユニットの駆動源と、前記再生機構の駆動源とが互いに別体となっており、搬送ユニットと再生機構とが互いに独立して駆動する。このように、ＣＤを搬送するための駆動源と光ピックアップを移動するための駆動源とを備えている。このため、部品点数が増加して、コストが高騰する傾向であった。さらに、前記ＣＤを搬送するための駆動源と光ピックアップを移動するための駆動源とを設けるため、大型化する傾向であった。
【００１１】
したがって、本発明の目的の一例は、小型化と低コスト化を図ることができる記録媒体再生装置を提供することにある。
【００１２】
【課題を解決するための手段】
前記課題を解決し目的を達成するために、請求項１に記載の本発明の記録媒体再生装置は、記録媒体を機器本体内の再生位置に位置させて、この記録媒体に記録された情報を読み出す記録媒体再生装置において、前記記録媒体を前記機器本体に設けられた記録媒体挿入口から前記再生位置に至る搬送経路に沿って搬送する搬送機構と、前記記録媒体から情報を読み出すピックアップ部を移動させるピックアップ移動部と、駆動源からの駆動力を前記搬送機構に伝える第１の位置と、前記駆動源からの駆動力を前記ピックアップ移動部に伝える第２の位置と、に亘って変位自在な切り換え機構と、を備え、前記切り換え機構は、前記記録媒体を搬送する際には前記第１の位置となり、前記記録媒体から情報を読み出す際には前記第２の位置となることを特徴としている。
【００１３】
【発明の実施の形態】
この発明の記録媒体再生装置は、上記のように、切り換え機構が搬送機構に駆動源からの駆動力を伝える第１の位置とピックアップ移動部に伝える第２の位置とに亘って変位自在である。こうすることで、一つの駆動源の駆動力を切り換えて、搬送機構とピックアップ移動部のうち一方を駆動するようにしたものである。
【００１４】
また、この発明の記録媒体再生装置において、切り換え機構が、一端部を中心として揺動自在な揺動アームと、この揺動アームの他端部に回転自在に支持された伝達歯車とを備えても良い。そして、揺動アームが揺動することで伝達歯車が搬送機構の第１の歯車とピックアップ移動部の第２の歯車とのうち一方と噛み合うことで、一つの駆動源の駆動力を切り換えて、搬送機構とピックアップ移動部のうち一方を駆動させるようにしても良い。
【００１５】
さらに、この発明の記録媒体再生装置において、記録媒体を搬送する際には切り換え機構を第１の位置に保ち、記録媒体から情報を読み出す際には切り換え機構を第２の位置に保ち、第１の位置と第２の位置とに切り換え機構が変位することを許容する切り換えロック機構を備えれば良い。
【００１６】
また、この発明の記録媒体再生装置において、切り換えロック機構が機器本体に回転自在に支持されたアーム本体と、このアーム本体から搬送機構に向かって突出した規制突起と、を有したロックアームを備えていてもよい。さらに、ロックアームのアーム本体は、揺動アームを第１の位置に保つ第１の規制位置と揺動アームを第１の位置と第２の位置とに亘って変位自在とする許容位置と、揺動アームを第２の位置に保つ第２の規制位置とに亘って回転自在である。また、搬送機構が溝を備えてかつ記録媒体の搬送方向に沿って機器本体にスライド自在に支持されたスライド部材を備え、溝が狭部と広部を備えていても良い。さらに、記録媒体を搬送する際には規制突起が狭部内に位置してアーム本体を規制位置とし、記録媒体が再生位置に位置付けられると規制突起が広部内に位置してアーム本体を許容位置をへて第２の規制位置としても良い。
【００１７】
さらに、搬送機構がローラを回転自在に支持するとともに機器本体に回転自在に設けられたローラアームを備えても良い。また、ローラアームが駆動源からの駆動力によりローラを回転する接続位置と、駆動源からローラへの駆動力の伝達を解除する解除位置とに亘って回転自在に設けられている。そして、記録媒体を搬送する際には、ローラアームが接続位置に位置し、記録媒体の移動則ちスライド部材のスライドに連動して、記録媒体が再生位置に位置付けられるとローラアームが解除位置に変位するようにしても良い。
【００１８】
さらに、揺動アームとロックアームがシャーシ本体の表面に取り付けられ、伝達歯車と第１及び第２の歯車がシャーシ本体の裏面に取り付けられている。揺動アームとロックアームのアーム本体が同一平面上に位置している。さらに、ロックアームが第１の規制位置、許容位置、第２の規制位置とに亘って変位することで、切り換え機構を第１の位置と第２の位置とに亘って変位させる。このように、一つのロックアームで、ロック動作を行う。このため、小型化と部品点数の低減を図ることができる。
【００１９】
【実施例】
本発明の一実施例にかかる記録媒体再生装置１を図１ないし図１８を参照して説明する。図１などに示す記録媒体再生装置１は、例えば、移動体としての自動車のインストルメントパネル（以下インパネと呼ぶ）に装着される。記録媒体再生装置１は、記録媒体としてのＣＤ２を、後述する機器本体３内に収容する。記録媒体再生装置１は、ＣＤ２を機器本体３内の後述する再生位置に位置させて、このＣＤ２に記録された情報を取り出して（再生して）、音声として出力する。
【００２０】
記録媒体再生装置１は、図２などに示すように、機器本体３と、搬送ユニット４（図３などに示す）と、搬送阻止手段としての搬送阻止・許容機構５（図３などに示す）と、駆動機構６（図７などに示す）とを備えている。
【００２１】
機器本体３は、図２などに示すように、ケースＣと、フレーム７と、シャーシ８とを備えている。ケースＣは、記録媒体再生装置１の外殻を形成し、合成樹脂からなりかつ扁平な箱状に形成されている。ケースＣの図１中手前側の一つの外壁には、記録媒体挿入口１２と、開閉扉１３と、各種のスイッチ１４とが設けられている。
【００２２】
記録媒体挿入口１２は、前記外壁を貫通している。記録媒体挿入口１２の平面形状は、矩形状に形成されている。記録媒体挿入口１２の長手方向は、記録媒体再生装置１の幅方向に沿っている。記録媒体挿入口１２は、記録媒体再生装置１の厚み方向の幅Ｈ１がＣＤ２の厚みより大きく、かつ記録媒体再生装置１の幅方向の幅Ｈ２がＣＤ２の外径より大きく形成されている。
【００２３】
記録媒体挿入口１２は、前記外壁の表面に直交する図１などに示す矢印Ｋに沿って、内側に前記ＣＤ２を通すことができる。記録媒体挿入口１２を通して、ＣＤ２は、搬送ユニット４により機器本体３内に収容されたり機器本体３内から排出される。以下、矢印Ｋを搬送方向と呼ぶ。
【００２４】
開閉扉１３は、板状に形成されており、平面形状が矩形状に形成されている。開閉扉１３は、前記記録媒体挿入口１２を開放する位置と、記録媒体挿入口１２を塞ぐ位置とに亘って、フレーム７に回転自在に支持されている。
【００２５】
フレーム７は、板金などからなる。フレーム７は、略平坦な底壁９とこの底壁９と間隔をあけて相対する天井壁１０と前記底壁９と天井壁１０とを連なる複数の周壁１１とを備えて、扁平な箱状に形成されている。
【００２６】
シャーシ８は、図２ないし図６などに示すように、メインシャーシ１５と、クランプアーム１６とを備えており、前記フレーム７内に収容されている。シャーシ８は、ダンパやばねなどを介してフレーム７に取り付けられている。メインシャーシ１５は、板金からなり、図３ないし図６などに示すように、平板状のシャーシ本体１７と、このシャーシ本体１７の両縁に連なる一対の側壁１８とを一体に備えている。
【００２７】
シャーシ本体１７は、図２に示すように、底壁９と天井壁１０との双方と平行な状態でこれらの壁９，１０間に収容される。以下、シャーシ本体１７の図２中の上方に位置する表面を以下表面１７ａと呼び、図２中下方に位置する表面を以下裏面１７ｂと呼ぶ。表面１７ａは、天井壁１０と間隔をあけて相対し、裏面１７ｂは、底壁９と間隔をあけて相対する。シャーシ本体１７は、その表面１７ａ上にＣＤ２を位置させる。
【００２８】
一対の側壁１８は、フレーム７の記録媒体挿入口１２が設けられていない周壁１１と平行な状態で配される。一対の側壁１８は、互いに間隔をあけて相対しかつ平行である。
【００２９】
また、メインシャーシ１５のシャーシ本体１７には、回転テーブル１９（図２に示す）が取り付けられている。回転テーブル１９は、シャーシ本体１７の表面１７ａの中央に回転自在に支持されている。回転テーブル１９は、ＣＤ２の中央孔内に侵入する。回転テーブル１９は、モータ２０などの駆動力によってＣＤ２を回転させる。モータ２０は、メインシャーシ１５のシャーシ本体１７の裏面１７ｂに取り付けられている。
【００３０】
クランプアーム１６は、板金などからなり、平板状に形成されている。クランプアーム１６は、シャーシ本体１７の表面１７ａ側に重ねられている。クランプアーム１６は、シャーシ８がフレーム７内に収容されると、シャーシ本体１７の記録媒体挿入口１２から離れた縁部１７ｃに、クランプアーム１６自体の記録媒体挿入口１２から離れた縁部１６ａを中心として回転自在に支持されている。クランプアーム１６は、図示しないばねなどによりメインシャーシ１５のシャーシ本体１７に近づく方向に付勢されている。
【００３１】
また、クランプアーム１６には、突出片２１（図１４ないし図１６に示す）が一体に形成されているとともに、複数の孔２２（図３ないし図６に示す）が形成されている。突出片２１は、クランプアーム１６からメインシャーシ１５のシャーシ本体１７に向かって突出している。突出片２１は、メインシャーシ１５の一方の側壁１８の近傍に配されている。突出片２１は、延在部２３とガイド部２４とを一体に備えている。延在部２３は、クランプアーム１６からシャーシ本体１７に向かって延びている。ガイド部２４は、延在部２３のメインシャーシ１５寄りの端部に取り付けられている。
【００３２】
ガイド部２４は、板状に形成されかつ平坦部２５と傾斜部２６とを一体に備えている。平坦部２５は、メインシャーシ１５のシャーシ本体１７に沿った平板状に形成されている。傾斜部２６は、平坦部２５から記録媒体挿入口１２に向かって延びている。傾斜部２６は、平坦部２５から記録媒体挿入口１２に向かうにしたがって、徐々にメインシャーシ１５のシャーシ本体１７から離れる方向（図１４中の上方）に徐々に傾斜している。
【００３３】
ガイド部２４には、後述のスライド部材７３の支持片８２が接触する。ガイド部２４の平坦部２５にスライド部材７３の支持片８２が接触すると、クランプアーム１６がメインシャーシ１５のシャーシ本体１７から離れる。又、ガイド部２４の傾斜部２６にスライド部材７３の支持片８２が接触しないと（間隔をあけると）、クランプアーム１６がメインシャーシ１５のシャーシ本体１７に重なる。
【００３４】
孔２２は、クランプアーム１６を貫通しており、後述のストッパ機構３９のストッパ部材４５のストッパ突起４８やアーム４６の検知ピン５１と押し出しピン５２などを通すことができる。
【００３５】
さらに、クランプアーム１６は、図１４などに示すように、クランパ２７を支持している。クランパ２７は、合成樹脂からなり円盤状に形成されている。クランパ２７は、クランプアーム１６の記録媒体挿入口１２寄りの縁に支持されている。
【００３６】
クランパ２７は、クランプアーム１６がメインシャーシ１５のシャーシ本体１７に近づくと、回転テーブル１９との間にＣＤ２を挟んでクランプする。クランパ２７は、クランプアーム１６がメインシャーシ１５のシャーシ本体１７から離れると、ＣＤ２の移動を妨げない（許容する）。
【００３７】
クランパ２７と回転テーブル１９との間に挟まれた（クランプされた）ＣＤ２の位置は、本明細書に記した再生位置をなしている。このため、ＣＤ２は、記録媒体挿入口１２と再生位置とに亘って搬送されることとなる。ＣＤ２の記録媒体挿入口１２と再生位置とに至る軌跡を、本明細書では搬送経路Ｒと呼ぶ。搬送経路Ｒは、記録媒体挿入口１２内を通って再生位置に至る際にＣＤ２全体の軌跡を示している。
【００３８】
搬送ユニット４は、図３などに示すように、記録媒体挿入口１２の近傍に配され、ローラアーム２８と、ローラ２９と、ディスクガイド３０（図１４などに示す）とを備えている。ローラアーム２８は、板金などからなり、平板状の平板部３１と、この平板部３１の両縁から立設した一対の立設部３２とを備えている。平板部３１は、平面形状が矩形状に形成されて、その長手方向がシャーシ８則ち機器本体３の幅方向と平行な状態で配される。
【００３９】
平板部３１の長手方向の長さは、シャーシ８のメインシャーシ１５のシャーシ本体１７の幅と等しい。平板部３１には、図３ないし図６に示すように、後述のディスク検知アーム４１のアーム本体４３や突出ピン４４を通すことのできる孔３３が一対設けられている。平板部３１の記録媒体挿入口１２寄りの縁には、一対の爪３４が立設している。
【００４０】
爪３４は、図１６に示すように、後述の解除位置で、平板部３１からディスクガイド３０に向かって延びている。爪３４は、解除位置で平板部３１とディスクガイド３０との間則ち記録媒体挿入口１２内をＣＤ２が通ることを規制する（ＣＤ２を通させない）。
【００４１】
一対の立設部３２は、互いに間隔をあけて相対しかつ平行である。立設部３２は、メインシャーシ１５の側壁１８に重ねられる。立設部３２は、その中央を中心として回転自在に側壁１８則ちシャーシ８に支持される。
【００４２】
立設部３２の中央が回転自在に側壁１８に支持されることで、ローラアーム２８は、回転自在にシャーシ８に支持される。ローラアーム２８は、平板部３１がシャーシ８のメインシャーシ１５のシャーシ本体１７に対し傾いて、ローラ２９をディスクガイド３０に近づけた図１４及び図１５に示す接続位置と、平板部３１がシャーシ８のメインシャーシ１５のシャーシ本体１７と平行で、かつローラ２９をディスクガイド３０から離した図１６に示す解除位置とに亘って変位自在となっている。
【００４３】
ローラ２９は、一対の立設部３２間に回転自在に支持されている。ローラ２９は、立設部３２の記録媒体挿入口１２から離れた側の端部に支持されている。ローラ２９の回転中心は、シャーシ８の幅方向則ちローラアーム２８の平板部３１の長手方向に沿っている。
【００４４】
ローラ２９の一端部には、図１４などに示す歯車３５が取り付けられている。前述した接続位置において、ローラ２９の歯車３５は、後述のローラ前歯車９０などを介して駆動機構６の後述の図示しない従動歯車と噛み合う。
【００４５】
ローラ２９は、前述した接続位置で、前記歯車３５などを介して後述のモータ６１の回転駆動力によって回転される。解除位置では、ローラ２９の歯車３５は、従動歯車と噛み合わない。解除位置では、ローラ２９は停止する。ローラ２９はＣＤ２を搬送する際に、該ＣＤ２と接触する。
【００４６】
ディスクガイド３０は、板金などからなるガイド本体３６と、該ガイド本体３６に取り付けられた滑り部材３７と、を備えている。ガイド本体３６は、長手方向がシャーシ８の幅方向に沿った帯状に形成されている。ガイド本体３６は、一対の側壁１８双方に取り付けられている。ガイド本体３６は、側壁１８の記録媒体挿入口１２寄りの端部に取り付けられている。ガイド本体３６の長手方向は、記録媒体挿入口１２の長手方向則ち機器本体３の幅方向に沿っている。
【００４７】
滑り部材３７は、摩擦係数の小さい合成樹脂からなる。滑り部材３７は、薄い板状に形成されている。滑り部材３７は、ガイド本体３６のローラアーム２８の平板部３１と相対する機器本体３の内面に取り付けられている。前述した構成のローラ２９とディスクガイド３０は、挟持手段をなしている。このため、搬送ユニット４は、挟持手段を備えていることとなる。
【００４８】
前述した搬送ユニット４は、ローラアーム２８が接続位置に位置付けられると、従動歯車に歯車３５が噛み合ってローラ２９が回転する。そして、ローラ２９とディスクガイド３０との間にＣＤ２を挟んで、ＣＤ２を記録媒体挿入口１２内に通して、機器本体３内に収容されたり、該機器本体３内から排出する。
【００４９】
ＣＤ２を再生位置に位置付けたりしてローラアーム２８が解除位置に位置付けられると、従動歯車と歯車３５との噛み合いが外れて、ローラ２９の回転が停止する。そして、爪３４が、ＣＤ２が記録媒体挿入口１２内を通ることを規制して、ＣＤ２が機器本体３内に収容されたり、該機器本体３内から排出されることを規制する。
【００５０】
搬送阻止・許容機構５は、図３ないし図６に示すように、ディスク検知機構３８と、ストッパ機構３９と、連動アーム４０を備えている。ディスク検知機構３８は、図３などに示すように、シャーシ８のメインシャーシ１５のシャーシ本体１７の表面１７ａ上に取り付けられている。ディスク検知機構３８は、一対のディスク検知アーム４１と、リンク４２とを備えている。
【００５１】
一対のディスク検知アーム４１は、それぞれ、記録媒体挿入口１２の近傍に配されている。一対のディスク検知アーム４１は、シャーシ８の幅方向に沿って互いに間隔をあけて配されている。
【００５２】
一対のディスク検知アーム４１は、それぞれ、合成樹脂からなり、帯状のアーム本体４３と、突出ピン４４と、を備えている。一対のディスク検知アーム４１のアーム本体４３は、両端部４３ａ，４３ｂが互いに近づいたり離れたり（接離）するように、回転自在にメインシャーシ１５のシャーシ本体１７に支持されている。
【００５３】
アーム本体４３の一端部４３ａは、他端部４３ｂより前記記録媒体挿入口１２寄りに配されている。アーム本体４３は、図３に示す長手方向が前記搬送方向Ｋに沿う状態と、この状態から一端部４３ａが互いに離れた図５に示す状態とに亘って、変位可能にシャーシ本体１７に回転自在に支持されている。
【００５４】
また、ディスク検知アーム４１は、アーム本体４３が孔３３内に通った状態でシャーシ８のシャーシ本体１７に他端部４３ｂを中心として回転自在に支持されている。突出ピン４４は、アーム本体４３の一端部４３ａから天井壁１０即ち記録媒体挿入口１２の内側に向かって突出している。
【００５５】
リンク４２は、合成樹脂からなり、帯板状に形成されている。リンク４２は、長手方向がシャーシ８の幅方向に沿う状態で、メインシャーシ１５のシャーシ本体１７の表面１７ａ上に支持されている。リンク４２は、その長手方向則ちシャーシ８の幅方向に沿ってスライド自在に支持されている。リンク４２は、図３中左側の一方のディスク検知アーム４１のアーム本体４３の一端部４３ａと、図３中右側の他方のセンタリンクアーム４１のアーム本体４３の他端部４３ｂとを連結している。
【００５６】
リンク４２は、シャーシ８の幅方向にスライドすることで、一対のディスク検知アーム４１のアーム本体４３の両端部４３ａ，４３ｂを互いに近づけたり離したり（接離）させる。なお、接離とは、近づいたり離れたりすることである。このとき、アーム本体４３の一端部４３ａが互いに近づくと他端部４３ｂが互いに離れ、アーム本体４３の他端部４３ｂが互いに近づくと一端部４３ａが互いに離れる。また、リンク４２は、一対のディスク検知アーム４１のアーム本体４３の一端部４３ａが互いに近づく方向に図示しないばねなどにより付勢されている。
【００５７】
ストッパ機構３９は、図３などに示すように、ストッパ部材４５と、アーム４６とを備えている。ストッパ部材４５は、合成樹脂などからなり、平板状の平板部４７と、複数のストッパ突起４８と、連動突起４９などを備えている。平板部４７は、クランプアーム１６の機器本体３の外側の位置する表面に重ねられる。また、平板部４７は、記録媒体挿入口１２から離れた側の縁を中心として、回転自在にクランプアーム１６に支持されている。
【００５８】
ストッパ突起４８は、平板部４７から機器本体３の内側則ちクランプアーム１６に向かって突出している。ストッパ突起４８は、クランプアーム１６の孔２２内を通って、クランプアーム１６よりメインシャーシ１５に向かって突出可能である。このため、ストッパ突起４８は、孔２２内を通って搬送経路Ｒ内に突出可能である。
【００５９】
また、ストッパ突起４８は、ストッパ部材４５の平板部４７がクランプアーム１６から前記縁部を中心として回転して離れると、前記搬送経路Ｒ内に突出しなくなる（搬送経路Ｒから退避する）。図１４に示すストッパ突起４８が搬送経路Ｒ内に突出したストッパ部材４５の位置を阻止位置と呼び、図１５に示すストッパ突起４８が搬送経路Ｒ内に突出しないストッパ部材４５の位置を許容位置と呼ぶ。ストッパ突起４８は、本明細書に記した突起をなしている。
【００６０】
連動突起４９は、平板部４７から機器本体３の内側則ちクランプアーム１６に向かって突出している。連動突起４９は、クランプアーム１６の孔２２内を通って、クランプアーム１６よりメインシャーシ１５に向かって突出する。連動突起４９は、連動アーム４０の後述する他端部に重なる。
【００６１】
アーム４６は、帯板状のアーム本体５０と、このアーム本体５０の長手方向の中央部より一端部寄りに設けられ検知ピン５１と、アーム本体５０の他端部に設けられた押し出しピン５２とを一体に備えている。アーム本体５０は、長手方向の中央を中心としてストッパ部材４５の平板部４７に回転自在に支持されている。アーム本体５０は、長手方向がシャーシ８の幅方向に沿う状態で配されかつ一端部が他端部よりシャーシ８の内側に位置している。
【００６２】
検知ピン５１は、アーム本体５０から機器本体３の内側則ちクランプアーム１６に向かって突出している。検知ピン５１は、クランプアーム１６の孔２２内を通って、クランプアーム１６よりメインシャーシ１５に向かって突出する。このため、検知ピン５１は、孔２２内を通って搬送経路Ｒ内に突出可能である。また、検知ピン５１は搬送経路Ｒの記録媒体挿入口１２から最も離れた位置に位置付けられる。
【００６３】
押し出しピン５２は、アーム本体５０から機器本体３の内側則ちクランプアーム１６に向かって突出している。押し出しピン５２は、クランプアーム１６の孔２２内を通って、メインシャーシ１５のシャーシ本体１７の裏面１７ｂ側に突出する。また、前述した構成のアーム４６は、一端部が記録媒体挿入口１２に近づきかつ他端部が記録媒体挿入口１２から離れる方向に、図示しないばねなどにより付勢されている。
【００６４】
連動アーム４０は、合成樹脂からなり帯板状に形成されている。連動アーム４０は、シャーシ８のメインシャーシ１５のシャーシ本体１７の表面１７ａ上に配されている。連動アーム４０は、長手方向が前記搬送方向Ｋに沿う状態で配されている。連動アーム４０は、長手方向の中央を中心として回転自在に、メインシャーシ１５に支持されている。
【００６５】
また、連動アーム４０の記録媒体挿入口１２寄りの一端部は、前記一方のディスク検知アーム４１より機器本体３の外側則ち側壁１８寄りに配されている。連動アーム４０の記録媒体挿入口１２から離れた側の他端部には、連動突起４９が重なる。
【００６６】
連動突起４９は、図３に示す長手方向が搬送方向Ｋに沿う状態に連動アーム４０が位置付けられると、後述の低部５４に重なる。さらに、連動アーム４０は、図示しないばねなどにより、前記一端部が一方のディスク検知アーム４１に近づきかつ他端部が連動突起４９から離れる方向に付勢されている。
【００６７】
また、前記他端部には連動部５３が設けられている。連動部５３は、低部５４と高部５５と傾斜部５６とを備えている。低部５４は、その表面が平坦でかつシャーシ８のメインシャーシ１５のシャーシ本体１７と平行である。低部５４は、連動アーム４０の他端部の機器本体３の内側寄りの縁に設けられている。
【００６８】
高部５５は、その表面が平坦でかつシャーシ８のメインシャーシ１５のシャーシ本体１７と平行である。高部５５の表面は、低部５４の表面よりフレーム７の天井壁１０寄りに配されている。また、高部５５は、連動アーム４０の他端部の前記低部５４より機器本体３の外側に設けられている。
【００６９】
傾斜部５６は、低部５４と高部５５との間に配されている、傾斜部５６の表面は、低部５４の表面と高部５５の表面との双方に対し傾斜しており、低部５４の表面と高部５５の表面との双方と連なっている。このため、傾斜部５６の表面は、低部５４から高部５５に近づくのにしたがって徐々に天井壁１０に近づく方向に、前記低部５４の表面と高部５５の表面との双方に対し傾斜している。
【００７０】
また、搬送阻止・許容機構５は、一対のディスク検知アーム４１のアーム本体４３の一端部４３ａが互いに近づいた状態で、記録媒体挿入口１２内にＣＤ２が挿入されると、一端部４３ａが互いに離れる方向にディスク検知アーム４１のアーム本体４３が回転する。そして、一方のディスク検知アーム４１のアーム本体４３が連動アーム４０に接触して、この連動アーム４０をばねの付勢力に抗して回転させる。
【００７１】
すると、連動突起４９が低部５４上から傾斜部５６上を通って高部５５上に移動する。すると、前記低部５４と高部５５との段差分、ストッパ部材４５がクランプアーム１６から離れて、ストッパ突起４８が搬送経路Ｒに突出しなくなる（搬送経路Ｒから退避する）。
【００７２】
また、前記ＣＤ２より小さい記録媒体を記録媒体挿入口１２内に挿入しても、一方のディスク検知アーム４１のアーム本体４３が連動アーム４０に接触しない。このため、ストッパ部材４５のストッパ突起４８が、搬送経路Ｒ中に突出したままとなる。
【００７３】
このように、搬送阻止・許容機構５は、ＣＤ２が記録媒体挿入口１２に挿入されるとディスク検知アーム４１が連動アーム４０を押し、前記ＣＤ２より小さい記録媒体が記録媒体挿入口１２に挿入されるとディスク検知アーム４１が連動アーム４０に接触しない構成となっている。
【００７４】
駆動機構６は、図７ないし図１０に示すように、駆動源部５７と、切り換え機構５８と、切り換えロック機構６３ａ（図１１及び図１３に示す）と、スライド駆動部５９と、ピックアップ移動部６０とを備えている。駆動源部５７は、メインシャーシ１５のシャーシ本体１７の裏面１７ｂに取り付けられている。
【００７５】
駆動源部５７は、駆動源としてのモータ６１と、ウォーム６２とを備えている。モータ６１は、シャーシ本体１７の裏面１７ｂに取り付けられている。モータ６１は、電源などからの電力により回転駆動する出力軸６１ａを備えている。ウォーム６２は、モータ６１の出力軸６１ａに取り付けられている。
【００７６】
切り換え機構５８は、図７ないし図１３に示す揺動アーム６４と、図７ないし図１２に示す一対の伝達歯車６５ａ，６５ｂとを備えている。
【００７７】
揺動アーム６４は、合成樹脂からなり帯板状に形成されている。揺動アーム６４は、メインシャーシ１５のシャーシ本体１７の表面１７ａに取り付けられている。揺動アーム６４は、一端部６４ａを中心として回転自在にメインシャーシ１５のシャーシ本体１７に支持されているとともに、他端部６４ｂが後述のロックアーム６３ｂの切欠き６７内に配されている。
【００７８】
揺動アーム６４の他端部６４ｂには、ロックアーム６３ｂの後述の第１ロック突起６８ａに相対する第１段部６９ａが設けられている。第１段部６９ａは、揺動アーム６４の機器本体３の内側寄りの縁に設けられている。第１段部６９ａは、一端部６４ａに向かうにしたがって揺動アーム６４の幅を段階的に狭くしている。第１段部６９ａにより揺動アーム６４の幅が広くなる箇所７０は、ロックアーム６３ｂが図１１に示す第１の規制位置に位置付けられると前記第１ロック突起６８ａと接触する。また、ロックアーム６３ｂが図１２に示す第２の規制位置及び図１３に示す許容位置に位置付けられると、第１段部６９ａにより揺動アーム６４の幅が狭くなる箇所７１は、前記第１ロック突起６８ａと相対する。
【００７９】
又、揺動アーム６４の他端部６４ｂには、ロックアーム６３ｂの後述の第２ロック突起６８ｂに相対する凹み８７と第２段部６９ｂが設けられている。凹み８７と第２段部６９ｂは、揺動アーム６４の機器本体３の外側寄りの縁に設けられている。凹み８７は、揺動アーム６４の幅を狭くしている。第２段部６９ｂは、凹み８７と連なっているとともにこの凹み８７の一端部６４ａ寄りに配されている。第２段部６９ｂは、一端部６４ａに向かうにしたがって揺動アーム６４の幅を段階的に広くしている。
【００８０】
凹み８７内には、ロックアーム６３ｂが図１１に示す第１の規制位置に位置付けられると前記第２ロック突起６８ｂが侵入する。また、ロックアーム６３ｂが図１２に示す第２の規制位置に位置付けられると、第２段部６９ｂにより揺動アーム６４の幅が狭くなる箇所８８は、第２ロック突起６８ｂと接触する。さらに、ロックアーム６３ｂが図１３に示す許容位置に位置付けられると、揺動アーム６４の他端部６４ｂは、第２ロック突起６８ｂと相対する。
【００８１】
一対の伝達歯車６５ａ，６５ｂのうち一方の伝達歯車６５ａは、揺動アーム６４の一端部６４ａに回転自在に支持されている。一方の伝達歯車６５ａは、図７などに示すように、メインシャーシ１５のシャーシ本体１７の裏面１７ｂ側に配されている。一方の伝達歯車６５ａは、前記駆動源部５７のウォーム６２と噛み合っている。
【００８２】
他方の伝達歯車６５ｂは、揺動アーム６４の他端部６４ｂに回転自在に支持されている。他方の伝達歯車６５ｂは、メインシャーシ１５のシャーシ本体１７の裏面１７ｂ側に配されている。他方の伝達歯車６５ｂは、揺動アーム６４が一端部６４ａを中心として回転することで、スライド駆動部５９の後述する二段歯車７２とピックアップ移動部６０の後述するかさ歯車８３のうち一方または双方と噛み合う（伝達歯車６５ｂは、切り換えの途中では、二段歯車７２とかさ歯車８３との双方と噛み合う）。
【００８３】
このため、後述のロックアーム６３ｂが図１１に示す第１の規制位置に位置付けられると、前記第１ロック突起６８ａと前記箇所７０とが接触して、他方の伝達歯車６５ｂがスライド駆動部５９の二段歯車７２と噛み合う。そして、前記第１ロック突起６８ａと箇所７０とが接触しているので、他方の伝達歯車６５ｂがスライド駆動部５９の二段歯車７２と噛み合う位置に、揺動アーム６４は保たれる。
【００８４】
また、後述のロックアーム６３ｂが図１２に示す第２の規制位置に位置付けられると、前記第２ロック突起６８ｂと前記箇所８８とが接触して、他方の伝達歯車６５ｂがピックアップ移動部６０のかさ歯車８３と噛み合う。そして、前記第２ロック突起６８ｂと箇所８８とが接触しているので、他方の伝達歯車６５ｂがピックアップ移動部６０のかさ歯車８３と噛み合う位置に、揺動アーム６４は保たれる。
【００８５】
さらに、ロックアーム６３ｂが図１３に示す許容位置に位置付けられると、前記第１ロック突起６８ａと前記箇所７１とが間隔をあけて相対するとともに、第２ロック突起６８ｂと前記箇所８８とが間隔をあけて相対する。このため、揺動アーム６４が他端部６４ｂを中心として回転自在となる。
【００８６】
図１１に示す状態を切り換え機構５８則ち揺動アーム６４が第１の位置であるといい、図１２に示す状態を切り換え機構５８則ち揺動アーム６４が第２の位置であるという。こうして、切り換え機構５８は、モータ６１からの駆動力をスライド駆動部５９に伝える第１の位置と、モータ６１からの駆動力をピックアップ移動部６０に伝える第２の位置とに亘って変位自在である。
【００８７】
切り換えロック機構６３ａは、図１１ないし図１３に示すように、ロックアーム６３ｂを備えている。ロックアーム６３ｂは、メインシャーシ１５のシャーシ本体１７の表面１７ａに取り付けられている。
【００８８】
ロックアーム６３ｂは、合成樹脂からなる平板状のアーム本体６３ｄと、規制突起６６と、駆動突起８９とを備えている。アーム本体６３ｄは、揺動アーム６４を逃げるような形となっており、記録媒体挿入口１２から離れかつ機器本体３の外側に位置する一つの隅部６３ｃを中心として回転自在にメインシャーシ１５のシャーシ本体１７に支持されている。アーム本体６３は、揺動アーム６４と同一平面上に位置している。
【００８９】
ロックアーム６３ｂは、アーム本体６３ｄが前記隅部６３ｃを中心として回転することで、揺動アーム６４を伝達歯車６５がスライド駆動部５９の後述の二段歯車７２と噛み合う第１の位置に保つ図１１に示す第１の規制位置と、揺動アーム６４を第１の位置と第２の位置とに亘って揺動（変位）自在とする図１３に示す許容位置と、揺動アーム６４を伝達歯車６５がピックアップ移動部６０の後述のかさ歯車８３と噛み合う第２の位置に保つ図１２に示す第２の規制位置とに亘って変位する。
【００９０】
ロックアーム６３ｂは、第１の規制位置と許容位置と第２の規制位置とに順に変位する。このように、ロックアーム６３ｂのアーム本体６３ｄは、第１の規制位置と、許容位置を経て第２の規制位置とに亘ってメインシャーシ１５のシャーシ本体１７に回転自在に支持されている。また、ロックアーム６３ｂは、図示しないばねなどにより、図１１に示す第１の規制位置から図１２に示す第２の規制位置に向かって付勢されている。
【００９１】
規制突起６６は、ロックアーム６３ｂのアーム本体６３ｄからメインシャーシ１５のシャーシ本体１７の裏面１７ｂ側（則ちスライド駆動部５９）に向かって突出している。規制突起６６は、スライド駆動部５９の後述のスライド部材７３の溝７９内に侵入する。
【００９２】
規制突起６６が溝７９の後述する狭部８１内に位置すると、アーム本体６３ｄの回転が規正されて、ロックアーム６３ｂは、図１１に示す第１の規制位置に保たれる。規制突起６６が溝７９の後述する広部８０内に位置すると、アーム本体６３ｄの回転が許容されて、ロックアーム６３ｂは、図１１に示す第１の規制位置と図１２に示す第２の規制位置とに亘って変位自在となる。則ち、ロックアーム６３ｂは、規制突起６６が溝７９の後述する広部８０内に位置すると、図１３に示す許容位置となる。
【００９３】
駆動突起８９は、ロックアーム６３ｂのアーム本体６３ｄからメインシャーシ１５のシャーシ本体１７の裏面１７ｂ側（則ちピックアップ移動部６０）に向かって突出している。駆動突起８９は、最も回転テーブル１９寄りに位置した光ピックアップ部８６と接触する。
【００９４】
さらに、ロックアーム６３ｂには、切欠き６７が形成されている。切欠き６７は、前記ロックアーム６３ｂのアーム本体６３ｄの記録媒体挿入口１２から離れた側の縁部を切り欠いている。また、切欠き６７の内縁には、第１ロック突起６８ａと第２ロック突起６８ｂが設けられている。第１ロック突起６８ａは、切欠き６７の機器本体３の内側寄りの内縁から切欠き６７の内側に向かって突出している。第２ロック突起６８ｂは、切欠き６７の機器本体３の外側寄りの内縁から切欠き６７の内側に向かって突出している。
【００９５】
スライド駆動部５９は、図７などに示すように、第１の歯車としての二段歯車７２と、図示しない複数の従動歯車と、スライド部材７３と、ラック７４とを備えている。二段歯車７２は、小径歯車７５とこの小径歯車７５より外径が大きな大径歯車７６とを一体に備えている。小径歯車７５と大径歯車７６とは同軸に配されている。二段歯車７２は、メインシャーシ１５のシャーシ本体１７の裏面１７ｂに取り付けられている。二段歯車７２の大径歯車７６は、ローラ前歯車９０（図１４ないし図１６に示す）を伝達駆動する図示しない複数の従動歯車とかみ合っている。
【００９６】
二段歯車７２は、メインシャーシ１５のシャーシ本体１７に回転自在に支持されている。二段歯車７２は、ローラアーム２８が接続位置に位置すると、歯車３５則ちローラ２９と連動して回転する。二段歯車７２は、切り換え機構５８とメインシャーシ１５の一方の側壁１８との間に配されている。二段歯車７２の大径歯車７６は、ロックアーム６３ｂが図１１に示された第１の規制位置に位置付けられると、他方の伝達歯車６５ｂと噛み合う。
【００９７】
複数の従動歯車は、それぞれ、シャーシ８などに回転自在に支持されている。複数の従動歯車のうち一つは、二段歯車７２の大径歯車７６と噛み合い、他の一つは、ローラ前歯車９０などを介して、ローラ２９の歯車３５と噛み合っている。従動歯車は、モータ６１などのからの回転駆動力をローラ２９に伝える。
【００９８】
スライド部材７３は、シャーシ８の一方の側壁１８に、この側壁１８の長手方向に沿ってスライド自在に支持されている。則ち、スライド部材７３は、搬送方向Ｋに沿ってスライド自在となっている。スライド部材７３は、板金などからなり、図７などに示すラック支持部７７と、このラック支持部７７から記録媒体挿入口１２に向かって延びたアーム部７８（図１４などに示す）とを一体に備えている。
【００９９】
ラック支持部７７は、二段歯車７２の近傍に配されており、溝７９を備えている。溝７９は、ラック支持部７７を貫通している。溝７９は、前記搬送方向Ｋに沿って直線状に延びている。溝７９は、幅が広い広部８０と前記広部８０より幅が狭い狭部８１とを備えている。狭部８１は、広部８０の記録媒体挿入口１２側に設けられている。
【０１００】
溝７９は、内側に規制突起６６を通す。図７に示すスライド部材７３が記録媒体挿入口１２から離れた位置に位置付けられると、前記規制突起６６は、溝７９の狭部８１の記録媒体挿入口１２寄りの端部に位置する。さらに、図１０に示すスライド部材７３が記録媒体挿入口１２寄りに位置付けられると、前記規制突起６６は、溝７９の広部８０内に位置する。
【０１０１】
また、ラック支持部７７には、支持片８２（図１４などに示す）が一体に設けられている。支持片８２は、ラック支持部７７からクランプアーム１６に向かって延びている。支持片８２は、スライド部材７３が最も記録媒体挿入口１２から離れると、クランプアーム１６の突出片２１のガイド部２４の平坦部２５に接触する。
【０１０２】
アーム部７８の記録媒体挿入口１２寄りの端部は、搬送ユニット４のローラアーム２８の一方の立設部３２に連結している。このため、スライド部材７３が、搬送方向Ｋに沿ってスライドすると、搬送ユニット４のローラアーム２８は、接続位置と解除位置とに亘って変位する。
【０１０３】
ラック７４は、スライド部材７３のラック支持部７７に取り付けられている。ラック７４は、搬送方向Ｋに沿ってスライド自在にスライド部材７３のラック支持部７７に支持されている。ラック７４の歯は、二段歯車７２の小径歯車７５の歯の近傍に位置する。
【０１０４】
ラック７４は、スライド部材７３が最も記録媒体挿入口１２から離れると、二段歯車７２の小径歯車７５と噛み合う位置（図８に示す）と、二段歯車７２の小径歯車７５の噛み合わない（間隔をあける）位置（図７に示す）とに亘って、ラック支持部７７にスライド自在に支持されている。また、スライド部材７３が最も記録媒体挿入口１２から離れると、ラック７４はアーム４６の押し出しピン５２の近傍でかつ前記押し出しピン５２の記録媒体挿入口１２側に配されている。
【０１０５】
前述した搬送ユニット４とスライド駆動部５９とで、本明細書に記した搬送機構を構成している。これらの搬送ユニット４とスライド駆動部５９とは、ＣＤ２を記録媒体挿入口１２から再生位置に至る搬送経路Ｒに沿って搬送する。
【０１０６】
ピックアップ移動部６０は、第２の歯車としてのかさ歯車８３と、第２のかさ歯車８４と、ねじ軸８５などを備えている。ピックアップ移動部６０は、切り換え機構５８と回転テーブル１９との近傍に配されている。かさ歯車８３は、メインシャーシ１５のシャーシ本体１７の裏面１７ｂに取り付けられている。かさ歯車８３は、メインシャーシ１５のシャーシ本体１７に回転自在に支持されている。第２のかさ歯車８４は、かさ歯車８３と噛み合っている。
【０１０７】
ねじ軸８５は、端部に第２のかさ歯車８４を取り付けている。ねじ軸８５と第２のかさ歯車８４とは同軸である。ねじ軸８５は、メインシャーシ１５のシャーシ本体１７に平行である。ねじ軸８５は、回転テーブル１９の近傍から回転テーブル１９の外周方向に延びている。ねじ軸８５は、メインシャーシ１５のシャーシ本体１７の裏面１７ｂに回転自在に支持されている。ねじ軸８５とかさ歯車８３とは連動して回転する。ねじ軸８５には、ピックアップ部としての光ピックアップ部８６が螺合している。
【０１０８】
光ピックアップ部８６は、前記ＣＤ２に記録された情報を読み出す。光ピックアップ部８６は、メインシャーシ１５のシャーシ本体１７の表面１７ａ上に位置させられた再生位置のＣＤ２の表面と相対する。光ピックアップ部８６は、ねじ軸８５が軸芯周りに回転することにより、回転テーブル１９に対し接離するように、前記シャーシ本体１７に沿って回転テーブル１９の径方向に沿って移動する。こうして、ピックアップ移動部６０は、ＣＤ２から情報を読み出す光ピックアップ部８６を移動する。
【０１０９】
また、前記記録媒体再生装置１は、記録媒体挿入口１２内に前述したＣＤ２などが挿入されたことを検出する図示しない検出器と、図示しない制御部を備えている。検出器は、記録媒体挿入口１２内にＣＤ２などが挿入されたことを検出すると、ＣＤ２などが挿入されたことを示す信号を制御部に向かって出力する。
【０１１０】
制御部は、ＤＳＰ（Ｄｉｇｉｔａｌ　Ｓｉｇｎａｌ　Ｐｒｏｃｅｓｓｏｒ）や、ＩＣ（Ｉｎｔｅｇｒａｔｅｄ　Ｃｉｒｃｕｉｔ）などからなる。制御部は、前記モータ２０，６１などを制御して、記録媒体再生装置１全体の制御をつかさどる。制御部は、検出器が記録媒体挿入口１２内にＣＤ２などが挿入されたことを検出して、前記検出器から前述した信号が入力すると、前記モータ６１をローラ２９がＣＤ２を機器本体３内に収容する方向（以下正転方向と呼ぶ）に駆動する。
【０１１１】
前記ＣＤ２より小さい記録媒体が機器本体３内に挿入されて、後述するようにストッパ突起４８に前記記録媒体が接触する。すると、制御部は、前記記録媒体の侵入が阻止されて所定時間が経過すると、前記モータ６１を逆方向（以下逆転方向と呼ぶ）に回転させる構成となっている。そして、制御部は、モータ６１を逆転方向に回転させて、前記記録媒体を機器本体３外に排出する構成となっている。また、スイッチ１４などが操作されて、ＣＤ２を排出する信号が入力すると、制御部は、前記駆動機構６のモータ６１を逆転方向に回転させる。
【０１１２】
次に、前述した構成の記録媒体再生装置１の作用（動作）について説明する。まず、ＣＤ２が機器本体３内に挿入されていない状態では、図３に示すように、一対のディスク検知アーム４１のアーム本体４３の一端部４３ａが互いに近づいているとともに、連動アーム４０の一端部が一方のディスク検知アーム４１に近づいている。
【０１１３】
また、図１７（ａ）に示すように、連動アーム４０の他端部の連動部５３の低部５４に連動突起４９が重なっている。図１４に示すように、ストッパ部材４５の平板部４７がクランプアーム１６に重なり、ストッパ突起４８が搬送経路Ｒに突出している。
【０１１４】
さらに、図１４に示すように、スライド部材７３が記録媒体挿入口１２から最も離れている。搬送ユニット４のローラアーム２８の平板部３１がメインシャーシ１５のシャーシ本体１７に対し傾いて、ローラ２９がディスクガイド３０に近づいている。さらに、ローラ２９の歯車３５が、スライド駆動部５９の二段歯車７２の大径歯車７６から図示しない従動歯車によって伝達駆動されるローラ前歯車９０と噛み合っている。
【０１１５】
また、図１８（ａ）に示すように、クランプアーム１６の突出片２１のガイド部２４の平坦部２５とスライド部材７３の支持片８２とが接触している。このため、クランプアーム１６がメインシャーシ１５のシャーシ本体１７から離れている。このため、回転テーブル１９とクランパ２７は、互いに間隔をあけて相対している。
【０１１６】
また、図７に示すように、アーム４６の押し出しピン５２が、ラック７４の近傍でかつ該ラック７４の記録媒体挿入口１２から離れた側に位置している。また、ラック７４がばねなどの付勢力によりスライド部材７３のラック支持部７７からアーム４６の押し出しピン５２（則ち記録媒体挿入口１２から離れた側）に突出している。ラック７４は、二段歯車７２の小径歯車７５と間隔をあけており、前記小径歯車７５と噛み合っていない。
【０１１７】
さらに、図７及び図１１に示すように、ロックアーム６３ｂの規制突起６６がスライド部材７３のラック支持部７７の溝７９の狭部８１の記録媒体挿入口１２寄りの端部に位置している。ロックアーム６３ｂの第１ロック突起６８ａと揺動アーム６４の前述した箇所７０とが接触して、揺動アーム６４の回転が規制されている。
【０１１８】
このため、切り換えロック機構６３ａのロックアーム６３ｂは、回転が規制されて、図１１に示す第１の規制位置に保たれている。揺動アーム６４の他端部６４ｂに回転自在に支持された他方の伝達歯車６５ｂは、図７及び図１１に示すように、二段歯車７２の大径歯車７６と噛み合っている。
【０１１９】
まず、記録媒体再生装置１の使用者が記録媒体挿入口１２内を通して、ローラ２９とディスクガイド３０との間に、前述した所定の外径のＣＤ２を挿入する。すると、ＣＤ２は、双方のディスク検知アーム４１の突出ピン４４に接触する。ＣＤ２などが記録媒体挿入口１２内に挿入されたことを検出器が検出して、前述した信号を制御部に向かって出力する。
【０１２０】
すると、制御部がモータ６１を正転方向に回転して、このモータ６１の回転駆動力がウォーム６２、伝達歯車６５ａ，６５ｂ、二段歯車７２及び図示しない従動歯車を介して、ローラ２９の歯車３５に伝わる。ローラ２９が、ＣＤ２を機器本体３内に収容する方向に回転する。図４に示すように、突出ピン４４が互いに離れる方向にディスク検知アーム４１が回転する。
【０１２１】
モータ６１の駆動力によって回転されたローラ２９とディスクガイド３０の滑り部材３７との間にＣＤ２が挟まれる。ローラ２９が回転しているため、ＣＤ２は、クランプアーム１６とメインシャーシ１５のシャーシ本体１７との間即ち再生位置に向かって搬送される。
【０１２２】
すると、突出ピン４４が互いに離れる方向にディスク検知アーム４１がさらに回転して、一方のディスク検知アーム４１のアーム本体４３が連動アーム４０の一端部と接触して、この一端部を側壁１８則ち機器本体３の外側に向かって押す。
【０１２３】
すると、連動アーム４０が図５中の矢印Ｋ１に沿って回転して、連動アーム４０の他端部が機器本体３の内側に変位する。図１７（ｂ）に示すように、連動部５３の傾斜部５６と連動突起４９とが接触した後、図５及び図１７（ｃ）に示すように、連動部５３の高部５５と連動突起４９とが接触する。
【０１２４】
すると、図１５に示すように、前記低部５４と高部５５との段差分ストッパ部材４５がクランプアーム１６から離れる。そして、ストッパ突起４８が搬送経路Ｒに突出しなくなる。そして、前記モータ６１の回転駆動力によりローラ２９が回転しているので、ＣＤ２が再生位置に向かって移動していく。
【０１２５】
すると、ＣＤ２がストッパ機構３９のアーム４６の検知ピン５１に接触する。ＣＤ２に押されて、アーム４６は、図６に示すように、矢印Ｋ２に沿って検知ピン５１が記録媒体挿入口１２から離れる方向に回転する。
【０１２６】
すると、アーム４６の押し出しピン５２がラック７４と接触するとともに、ラック７４を記録媒体挿入口１２に向かって押す。まず、図８に示すように、ラック７４が、記録媒体挿入口１２に向かって移動して、二段歯車７２の小径歯車７５と噛み合う。このとき、勿論、二段歯車７２は、モータ６１の回転駆動力により回転している。
【０１２７】
このため、前記ラック７４は、二段歯車７２の回転により記録媒体挿入口１２に向かって移動する。さらに、ラック７４とともにスライド部材７３が記録媒体挿入口１２に向かって移動する。スライド部材７３が記録媒体挿入口１２に向かって移動していくと、図１８（ｂ）に示すように、スライド部材７３の支持片８２が、クランプアーム１６の突出片２１のガイド部２４の傾斜部２６に接触する。
【０１２８】
すると、傾斜部２６が記録媒体挿入口１２に向かうにしたがって徐々にクランプアーム１６に向かう方向に傾斜しているので、スライド部材７３が記録媒体挿入口１２に近づくのにしたがって、クランプアーム１６が徐々にメインシャーシ１５のシャーシ本体１７に近づく。
【０１２９】
そして、スライド部材７３がさらに記録媒体挿入口１２に向かって移動していくと、図１８（ｃ）に示すように、スライド部材７３の支持片８２とクランプアーム１６の突出片２１のガイド部２４とが、互いに間隔をあけて接触しなくなる。そして、クランプアーム１６が、メインシャーシ１５のシャーシ本体１７に重なり、回転テーブル１９とクランパ２７との間にＣＤ２を挟む（クランプする）。こうして、ＣＤ２は、再生位置に位置付けられる。
【０１３０】
すると、スライド部材７３が図１６に示す位置まで記録媒体挿入口１２寄りに移動する。そして、スライド部材７３の移動に連動して、搬送ユニット４のローラアーム２８が回転して、平板部３１がメインシャーシ１５のシャーシ本体１７と平行になる。
【０１３１】
ローラ２９の歯車３５とローラ前歯車９０との噛み合いが外れて、歯車３５則ちローラ２９の回転が停止する。さらに、爪３４が記録媒体挿入口１２を塞いで、ＣＤ２が機器本体３内から不意に脱落することを防止するとともに、更に別の記録媒体が機器本体３内に侵入することを防止する。
【０１３２】
また、ローラアーム２８が、図６に示すように、ばねなどの付勢力により、アーム本体４３の長手方向が搬送方向Ｋに沿う状態になる。そして、連動突起４９が連動アーム４０の連動部５３の低部５４に重なり、図１６に示すように、ストッパ部材４５の平板部４７がクランプアーム１６に重なる。
【０１３３】
さらに、図９に示すように、規制突起６６が溝７９の広部８０内に位置して、ロックアーム６３ｂの回転が許容される。そして、ばねなどの付勢力により、ロックアーム６３ｂが、前記一つの隅部６３ｃを中心として回転して、図１３に示す揺動アーム６４が回転（変位）自在となる許容位置をへて、図１２に示す第２の規制位置に変位する。（スライド部材７３は反転ばねなどにより記録媒体挿入口１２に向かって移動することが規制される。）揺動アーム６４は、前記二段歯車７２などからの反力などにより、他方の伝達歯車６５ｂがかさ歯車８３に向かって押され、一端部６４ａを中心として他端部６４ｂがかさ歯車８３に近づく方向に回転する。
【０１３４】
すると、揺動アーム６４が、図１２に示すように、矢印Ｋ３に沿って回転する。そして、図１０に示すように、他方の伝達歯車６５ｂがかさ歯車８３と噛み合う。すると、前記モータ６１の回転駆動力は、伝達歯車６５ａ，６５ｂとかさ歯車８３，８４を介してねじ軸８５を回転させる。その後、使用者などが前述したスイッチ１４を操作して、選曲する。すると、前記モータ６１は、前述した選曲状況に応じて、ねじ軸８５を回転させて、光ピックアップ部８６でＣＤ２に記録されている情報を読み出す。こうして、ＣＤ２を再生する。
【０１３５】
ＣＤ２の再生が終了したり、機器本体３内のＣＤ２を交換する際には、まず、使用者が前述したスイッチ１４などを操作する。すると、ロックアーム６３ｂが図１２に示す第２の規制位置に位置付けられた状態から、前述した動作と逆方向にモータ６１などが駆動する。光ピックアップ部８６が、回転テーブル１９に向かって移動する。すると、光ピックアップ部８６が、図１２に示すように、駆動突起８９に接触する。すると、駆動突起８９が、光ピックアップ部８６に押されて、ロックアーム６３ｂが図１３中の矢印Ｋ４に沿って回転する。そして、揺動アーム６４は、図１３に示す許容位置に位置付けられる。その後、さらに、矢印Ｋ４に沿ってロックアーム６３ｂが変位して、ロックアーム６３ｂが図１１に示す第１の規制位置に位置付けられる。このように、他方の伝達歯車６５ｂがかさ歯車８３と噛み合う状態から、揺動アーム６４を回転させて、他方の伝達歯車６５ｂを二段歯車７２の大径歯車７６に噛み合わせる。
【０１３６】
さらに、ラック７４則ちスライド部材７３を記録媒体挿入口１２から離れる方向に移動させるとともに、規制突起６６を溝７９の狭部８１内に位置付けて、ロックアーム６３ｂを図１１に示す第１の規制位置に保つ。ラック７４則ちスライド部材７３の移動に連動して、搬送ユニット４のローラアーム２８が回転してローラ２９が回転する。さらに、クランプアーム１６が徐々にメインシャーシ１５のシャーシ本体１７から離れて、回転テーブル１９とクランパ２７との間に挟まれた（クランプされた）ＣＤ２が記録媒体挿入口１２を通して機器本体３外に排出される。
【０１３７】
こうして、切り換え機構５８は、ＣＤ２を記録媒体挿入口１２と再生位置とに亘って移動させる際に第１の位置となり、ＣＤ２から情報を読み出す際には第２の位置となる。また、切り換えロック機構６３ａは、ＣＤ２を記録媒体挿入口１２と再生位置とに亘って移動させる際には、切り換え機構５８を第１の位置に保ち、ＣＤ２から情報を読み出す際には切り換え機構５８を第２の位置に保つ。さらに、揺動アーム６４は、第１の位置で他方の伝達歯車６５ｂが二段歯車７２と噛み合う位置に位置付けられ、第２の位置で他方の伝達歯車６５ｂがかさ歯車８３と噛み合う位置に位置付けられる。
【０１３８】
前記ローラ２９が記録媒体挿入口１２と再生位置とに亘ってＣＤ２を搬送する際に、規制突起６６が狭部８１内に位置して前記アーム本体６４ｂの回転が規制されて、ロックアーム６３ｂは前記第１の規制位置に保たれる。ＣＤ２が再生位置に位置付けられると、前記規制突起６６が広部８０内に位置して前記アーム本体６４ｂの回転が許容されて、ロックアーム６３ｂは前記許容位置をへて第２の規制位置に位置付けられる。
【０１３９】
搬送ユニット４のローラアーム２８は、メインシャーシ１５に回転自在に支持されかつ前記ローラ２９を回転自在に支持している。搬送ユニット４のローラアーム２８は、前記スライド部材７３のスライドと連動してモータ６１からの駆動力をローラ２９に伝える接続位置と、モータ６１からの駆動力のローラ２９への伝達を解除する解除位置と、に亘って回転する。さらに、搬送ユニット４のローラアーム２８は、ＣＤ２を搬送する際に前記接続位置となり、ＣＤ２が再生位置に位置付けられるとスライド部材７３のスライドに連動して回転して、前記解除位置になる。
【０１４０】
本実施例によれば、切り換え機構５８がモータ６１からの駆動力をスライド駆動部５９に伝える第１の位置と、ピックアップ移動部６０に伝える第２の位置とに亘って変位自在である。切り換え機構５８は、メインシャーシ１５に揺動自在に設けられた揺動アーム６４と、この揺動アーム６４に回転自在に支持された伝達歯車６５ｂとを備えている。伝達歯車６５ｂは、揺動アーム６４が回転することで、モータ６１からの駆動力をスライド駆動部５９の二段歯車７２とピックアップ移動部６０のかさ歯車８３とのうち一方に伝達する。
【０１４１】
こうすることで、切り換え機構５８は、モータ６１からの駆動力を切り換えて、スライド駆動部５９とピックアップ移動部６０とのうち一方に伝達する。このため、一つのモータ６１で、スライド駆動部５９とピックアップ移動部６０とを駆動できる。このため、モータ６１の数を抑制でき、記録媒体再生装置１の部品点数を抑制できる。また、歯車６５ａ，６５ｂ，７２，８３をシャーシ本体１７の裏面１７ｂに取り付け、切り換え機構５８の揺動アーム６４とロックアーム６３ｂをシャーシ本体１７の表面１７ａに取り付けている。又、ロックアーム６３ｂを回転することで、第１の位置と第２の位置とに揺動アーム６４を保つ。このため、小型化及び薄型化の為の部品配置が可能となる。したがって、記録媒体再生装置１の小型化と低コスト化を図ることができる。
【０１４２】
また、モータ６１がスライド駆動部５９とピックアップ移動部６０とのうち一方を駆動する。このため、ＣＤ２を搬送する際に光ピックアップ部８６を移動させたり、ＣＤ２の情報を読み出す際にスライド駆動部５９を駆動することがない。このように、モータ６１からの駆動力で、スライド駆動部５９とピックアップ移動部６０との双方を常に駆動しない。このため、モータ６１にかかる負荷を抑制でき、モータ６１の大型化と消費電力の増加を抑制できる。したがって、記録媒体再生装置１の更なる小型化を図ることができる。
【０１４３】
ＣＤ２を搬送する際に切り換え機構５８を第１の位置に保つ切り換えロック機構６３ａを備えている。このため、ＣＤ２を確実に搬送できるとともに、ＣＤ２を搬送する際に、ピックアップ移動部６０を動作させることがない。また、切り換えロック機構６３ａは、ＣＤ２から情報を読み出す際には切り換え機構５８を第１の位置と第２の位置とに亘って変位自在とする。
【０１４４】
このため、ＣＤ２を再生位置に位置付けて、このＣＤ２が移動できなくなると、スライド駆動部５９からの反力により、切り換え機構５８が第２の位置に確実に変位する。このため、光ピックアップ部８６を確実に移動できるとともに、ＣＤ２から情報を読み出す際に、スライド駆動部５９を動作させることがない。このため、モータ６１の数を抑制でき、記録媒体再生装置１の部品点数を抑制できるとともに、モータ６１の負荷を確実に抑制できる。したがって、記録媒体再生装置１の小型化と低コスト化を図ることができる。
【０１４５】
切り換えロック機構６３ａは、揺動アーム６４を第１の位置に保つ第１の規制位置と、揺動アーム６４を第１の位置と第２の位置とに亘って変位自在とする許容位置と、揺動アーム６４を第２の位置に保つ第２の規制位置とに亘って回転自在なロックアーム６３ｂを備えている。また、ロックアーム６３ｂは、スライド駆動部５９に向かって突出した規制突起６６と、光ピックアップ部８６に向かって突出した駆動突起８９を備えている。スライド駆動部５９は、狭部８１と広部８０とを有した溝７９を備えたスライド部材７３を備えている。
【０１４６】
ＣＤ２の搬送中では、規制突起６６が狭部８１内に位置している。このため、ＣＤ２の搬送中では、ロックアーム６３ｂは第１の規制位置に確実に保たれる。したがって、モータ６１の数を抑制でき、記録媒体再生装置１の部品点数を抑制できるとともに、モータ６１の負荷を確実に抑制できる。したがって、記録媒体再生装置１の小型化と低コスト化を図ることができることにくわえ、ＣＤ２を確実に搬送できる。
【０１４７】
また、ＣＤ２から情報を読み出す際には、規制突起６６が広部８０内に位置している。さらに、ロックアーム６３ｂは、第１の規制位置から第２の規制位置に向かって付勢されている。このため、ＣＤ２の再生中には、ロックアーム６３ｂは第２の規制位置に確実に保たれる。このため、光ピックアップ部８６を確実に移動できるとともに、ＣＤ２から情報を読み出す際に、スライド駆動部５９を動作させることがない。したがって、ＣＤ２を確実に再生できる。又、モータ６１の駆動力を伝える先を切り換える際には、ロックアーム６３ｂは、切り換え機構５８を第１の位置と第２の位置とに亘って変位可能とする許容位置になる。このため、モータ６１の駆動力の切り換えを確実に行うことができる。
【０１４８】
搬送ユニット４は、モータ６１からの駆動力をローラ２９に伝える接続位置と、モータ６１からの駆動力をローラ２９に伝えない解除位置とに亘って回転自在なローラアーム２８を備えている。ローラアーム２８は、ＣＤ２の搬送中では、接続位置となる。このため、ＣＤ２を確実に搬送できる。
【０１４９】
また、ローラアーム２８は、ＣＤ２から情報を読み出す際に解除位置となる。このため、ＣＤ２から情報を読み出す際に搬送ユニット４などを駆動させることがない。したがって、モータ６１にかかる負荷を確実に抑制でき、モータ６１の小型化を図ることができる。したがって、記録媒体再生装置１の小型化と低コスト化を確実に図ることができる。
【０１５０】
前述した実施例によれば、以下の記録媒体再生装置が得られる。
（付記１）　ＣＤ２を機器本体３内の再生位置に位置させて、このＣＤ２に記録された情報を読み出す記録媒体再生装置１において、
前記ＣＤ２を前記機器本体３に設けられた記録媒体挿入口１２から前記再生位置に至る搬送経路Ｒに沿って搬送する搬送ユニット４及びスライド駆動部５９と、
前記ＣＤ２から情報を読み出す光ピックアップ部８６を移動させるピックアップ移動部６０と、
モータ６１からの駆動力を前記搬送ユニット４及びスライド駆動部５９に伝える第１の位置と、前記モータ６１からの駆動力を前記ピックアップ移動部６０に伝える第２の位置と、に亘って変位自在な切り換え機構５８と、を備え、
前記切り換え機構５８は、前記ＣＤ２を搬送する際には前記第１の位置となり、前記ＣＤ２から情報を読み出す際には前記第２の位置となることを特徴とする記録媒体再生装置１。
【０１５１】
（付記２）　前記搬送ユニット４及びスライド駆動部５９は、前記ＣＤ２に接触するローラ２９と、前記機器本体３に回転自在に支持されかつ前記ローラ２９と連動して回転する二段歯車７２とを備え、
前記ピックアップ移動部６０は、前記光ピックアップ部８６と螺合したねじ軸８５と、前記ねじ軸８５と連動して回転するかさ歯車８３とを備え、
前記切り換え機構５８は、前記機器本体３に一端部６４ａを中心として揺動自在に支持された揺動アーム６４と、前記揺動アーム６４の他端部６４ｂに回転自在に支持されかつ前記モータ６１の駆動力により回転される伝達歯車６５ｂを備え、
前記揺動アーム６４は、前記第１の位置で前記伝達歯車６５ｂが前記二段歯車７２と噛み合い、前記第２の位置で前記伝達歯車６５ｂが前記かさ歯車８３と噛み合う位置に位置付けられることを特徴とする付記１記載の記録媒体再生装置１。
【０１５２】
（付記３）　前記ＣＤ２を搬送する際には前記切り換え機構５８を前記第１の位置に保ち、前記ＣＤ２から情報を読み出す際には前記切り換え機構５８を前記第２の位置に保ち、前記モータ６１からの駆動力を伝える先を変更する際に、前記切り換え機構５８を第１の位置と前記第２の位置とに亘って変位自在とする切り換えロック機構６３ａを備えたことを特徴とする付記２記載の記録媒体再生装置１。
【０１５３】
（付記４）　前記切り換えロック機構６３ａは、前記機器本体３に回転自在に支持されたロックアーム６３ｂを備え、このロックアーム６３ｂは、前記揺動アーム６４を前記第１の位置に保つ第１の規制位置と、前記第１の位置と前記第２の位置とに亘って前記切り換え機構５８の揺動アーム６４を変位自在とする許容位置と、前記揺動アーム６４を前記第２の位置に保つ第２の規制位置と、に亘って前記機器本体３に回転自在に支持されたアーム本体６３ｄと、前記アーム本体６３ｄから前記スライド駆動部５９に向かって突出した規制突起６６とを備え、前記ロックアーム６３ｂは前記第１の規制位置から前記第２の規制位置に向かって付勢されており、
前記スライド駆動部５９は、前記機器本体３にＣＤ２の搬送方向Ｋに沿ってスライド自在に支持されかつ内側に前記規制突起６６を通す溝７９を有したスライド部材７３を備え、
前記溝７９は、狭部８１と該狭部８１より幅が広い広部８０とを備え、
前記ローラ２９がＣＤ２を搬送する際に、前記規制突起６６が前記狭部８１内に位置して前記アーム本体６３ｄの回転が規制されて前記ロックアーム６３ｂは前記第１の規制位置に保たれ、
前記ＣＤ２が前記再生位置に位置付けられると、前記規制突起６６が前記広部８０内に位置して前記アーム本体６３ｄの回転が許容される許容位置をへて前記ロックアーム６３ｂは前記第２の規制位置に位置付けられることを特徴とする付記３記載の記録媒体再生装置１。
【０１５４】
（付記５）　前記搬送ユニット４は、
前記機器本体３に回転自在に支持されかつ前記ローラ２９を回転自在に支持するとともに前記スライド部材７３のスライドと連動して前記モータ６１からの駆動力をローラ２９に伝える接続位置と前記モータ６１からの駆動力のローラ２９への伝達を解除する解除位置とに亘って回転するローラアーム２８を備え、
前記ＣＤ２を搬送する際に、前記ローラアーム２８が前記接続位置となり、
前記ＣＤ２が前記再生位置に位置付けられると、スライド部材７３のスライドに連動して前記ローラアーム２８が回転して前記解除位置となることを特徴とする付記４記載の記録媒体再生装置１。
【０１５５】
（付記６）前記機器本体３は、前記ＣＤ２を回転させる回転テーブル１９を回転自在に支持した板状のシャーシ本体１７を備え、
前記揺動アーム６４と前記ロックアーム６３ｂは、前記シャーシ本体１７の表面１７ａに取り付けられ、前記伝達歯車６５ｂと二段歯車７２とかさ歯車８３とは前記シャーシ本体１７の表面１７ａの裏側の裏面１７ｂに取り付けられていることを特徴とする付記４または付記５記載の記録媒体再生装置１。
【０１５６】
（付記７）前記揺動アーム６４と前記ロックアーム６３ｂのアーム本体６３ｄは、同一平面上に位置していることを特徴とする付記４ないし付記６のうちいずれか一項に記載の記録媒体再生装置１。
【０１５７】
付記１に記載の記録媒体再生装置１によれば、切り換え機構５８がモータ６１からの駆動力を搬送ユニット４及びスライド駆動部５９に伝える第１の位置と、ピックアップ移動部６０に伝える第２の位置とに亘って変位自在である。こうすることで、切り換え機構５８は、モータ６１からの駆動力を切り換えて、搬送ユニット４及びスライド駆動部５９とピックアップ移動部６０とのうち一方に伝達する。
【０１５８】
このため、一つのモータ６１で、搬送ユニット４及びスライド駆動部５９とピックアップ移動部６０とを駆動できる。このため、モータ６１の数を抑制でき、記録媒体再生装置１の部品点数を抑制できる。したがって、記録媒体再生装置１の小型化と低コスト化を図ることができる。
【０１５９】
また、モータ６１が搬送ユニット４及びスライド駆動部５９とピックアップ移動部６０とのうち一方を駆動する。このため、ＣＤ２を搬送する際に光ピックアップ部８６を移動させたり、ＣＤ２の情報を読み出す際に搬送ユニット４及びスライド駆動部５９を駆動することがない。このように、モータ６１からの駆動力で、搬送ユニット４及びスライド駆動部５９とピックアップ移動部６０との双方を常に駆動しない。このため、モータ６１にかかる負荷を抑制でき、モータ６１の大型化と消費電力の増加を抑制できる。したがって、記録媒体再生装置１の更なる小型化を図ることができる。
【０１６０】
付記２に記載の記録媒体再生装置１によれば、切り換え機構５８は、機器本体３に揺動自在に設けられた揺動アーム６４と、この揺動アーム６４に回転自在に支持された伝達歯車６５ｂとを備えている。伝達歯車６５ｂは、モータ６１からの駆動力を切り換えて、スライド駆動部５９の二段歯車７２とピックアップ移動部６０のかさ歯車８３とのうち一方に伝達する。このため、一つのモータ６１で、搬送ユニット４及びスライド駆動部５９とピックアップ移動部６０とを駆動できる。このため、モータ６１の数を抑制でき、記録媒体再生装置１の部品点数を抑制できる。
【０１６１】
また、モータ６１が搬送ユニット４及びスライド駆動部５９とピックアップ移動部６０とのうち一方を駆動する。このため、モータ６１からの駆動力で、搬送ユニット４及びスライド駆動部５９とピックアップ移動部６０との双方を常に駆動しない。このため、モータ６１にかかる負荷を抑制でき、モータ６１の大型化と消費電力の増加を抑制できる。したがって、記録媒体再生装置１の更なる小型化を図ることができる。したがって、記録媒体再生装置１の小型化と低コスト化を図ることができる。
【０１６２】
付記３に記載の記録媒体再生装置１によれば、ＣＤ２を搬送する際に切り換え機構５８を第１の位置に保つ切り換えロック機構６３ａを備えている。このため、ＣＤ２を確実に搬送できるとともに、ＣＤ２を搬送する際に、ピックアップ移動部６０を動作させることがない。
【０１６３】
また、切り換えロック機構６３ａは、ＣＤ２から情報を読み出す際には切り換え機構５８を第２の位置に保つ。このため、ＣＤ２から情報を読み出す際に、搬送ユニット４及びスライド駆動部５９を動作させることがない。
【０１６４】
このため、モータ６１の数を抑制でき、記録媒体再生装置１の部品点数を抑制できるとともに、モータ６１の負荷を確実に抑制できる。したがって、記録媒体再生装置１の小型化と低コスト化を図ることができる。さらに、モータ６１からの駆動力を伝える先を変更する際には、切り換え機構５８を第１の位置と第２の位置とに亘って変異自在とする。このため、動作の切り換えを確実に行うことができる。
【０１６５】
付記４に記載の記録媒体再生装置１によれば、切り換えロック機構６３ａは、揺動アーム６４を第１の位置に保つ第１の規制位置と、揺動アーム６４を第１の位置と第２の位置とに亘って変位自在とする許容位置をへて揺動アーム６４を第２の位置に保つ第２の規制位置とに亘って回転自在なロックアーム６３ｂを備えている。また、ロックアーム６３ｂは、スライド駆動部５９に向かって突出した規制突起６６を備えている。搬送機構６６は、狭部８１と広部８０とを有した溝７９を備えたスライド部材７３を備えている。
【０１６６】
ＣＤ２の搬送中では、規制突起６６が狭部８１内に位置している。このため、ＣＤ２の搬送中では、ロックアーム６３ｂは規制位置に確実に保たれる。このため、ＣＤ２を確実に搬送できるとともに、ＣＤ２を搬送する際に、ピックアップ移動部６０を動作させることがない。
【０１６７】
また、ＣＤ２から情報を読み出す際には、規制突起６６が広部８０内に位置している。さらに、ロックアーム６３ｂは、第１の規制位置から第２の規制位置に向かって付勢されている。このため、ピックアップ移動部６０を確実に移動できる。このため、ＣＤ２の再生中には、ロックアーム６３ｂは第２の規制位置に確実に保たれる。したがって、ＣＤ２から情報を読み出す際に、搬送ユニット４及びスライド駆動部５９を動作させることがない。さらに、一つのロックアーム６３ｂが、切り換え機構５８を第１の位置と第２の位置とに保つ。
【０１６８】
このため、モータ６１の数を抑制でき、記録媒体再生装置１の部品点数を抑制できるとともに、モータ６１の負荷を確実に抑制できる。したがって、記録媒体再生装置１の小型化と低コスト化を図ることができる。
【０１６９】
付記５に記載の記録媒体再生装置１によれば、搬送ユニット４は、モータ６１からの駆動力をローラ２９に伝える接続位置と、モータ６１からの駆動力をローラ２９に伝えない解除位置とに亘って回転自在なローラアーム２８を備えている。ローラアーム２８は、ＣＤ２の搬送中では、接続位置となる。このため、ＣＤ２を確実に搬送できる。
【０１７０】
また、ローラアーム２８は、ＣＤ２から情報を読み出す際に解除位置となる。このため、ＣＤ２から情報を読み出す際に搬送ユニット４及びスライド駆動部５９を駆動させることがない。したがって、モータ６１にかかる負荷を確実に抑制でき、モータ６１の小型化を図ることができる。したがって、記録媒体再生装置１の小型化と低コスト化を確実に図ることができる。
【０１７１】
付記６によれば、揺動アーム６４とロックアーム６３ｂをシャーシ本体１７の表面１７ａに取り付け、伝達歯車６５ｂと二段歯車７２とかさ歯車８３とをシャーシ本体１７の裏面１７ｂに取り付けている。このため、小型化と薄型化を図る部品配置が可能となるとともに部品点数を削減できる。したがって、より一層の小型化と低コスト化を図ることができる。
【０１７２】
付記７によれば、揺動アーム６４とロックアーム６３ｂのアーム本体６３ｄが同一平面上に位置している。このため、小型化と薄型化を図る部品配置が可能となる。したがって、より一層の小型化を図ることができる。
【０１７３】
前述した実施例では、記録媒体としてＣＤ２を示している。しかしながら、本発明では、ＣＤ２に限定されることなくピックアップなどで情報を読み出し可能な種々の記録媒体を用いても良いことは勿論である。
【図面の簡単な説明】
【図１】本発明の一実施例にかかる記録媒体再生装置を示す斜視図である。
【図２】図１中のＩＩ−ＩＩ線に沿う断面を模式的に示す説明図である。
【図３】図１に示された記録媒体再生装置の搬送阻止・許容機構の構成を上方からみた説明図である。
【図４】図３に示された記録媒体再生装置内にＣＤが挿入され始めた状態を上方からみた説明図である。
【図５】図４に示された状態からさらにＣＤが挿入された状態を上方からみた説明図である。
【図６】図３に示された記録媒体再生装置内にＣＤを収容した状態を上方からみた説明図である。
【図７】図１に示された記録媒体再生装置の駆動機構の要部を下方からみた説明図である。
【図８】図７に示された駆動機構のラックと二段歯車とが噛み合った状態を下方からみた説明図である。
【図９】図８に示された駆動機構のラックが記録媒体挿入口に向かって移動した状態を下方からみた説明図である。
【図１０】図９に示された駆動機構の従動歯車がかさ歯車と噛み合った状態を下方からみた説明図である。
【図１１】図７に示された駆動機構の要部を上方からみた説明図である。
【図１２】図１０に示された駆動機構の要部を上方からみた説明図である。
【図１３】図１１に示された駆動機構の切り換えロック機構が許容位置に位置付けられた状態を説明する説明図である。
【図１４】図３に示された状態の記録媒体再生装置を側方からみた説明図である。
【図１５】図５に示された状態の記録媒体再生装置を側方からみた説明図である。
【図１６】図６に示された状態の記録媒体再生装置を側方からみた説明図である。
【図１７】（ａ）は、図１に示された記録媒体再生装置の連動突起が低部に重なった状態を模式的に示す説明図である。（ｂ）は、図１に示された記録媒体再生装置の連動突起が傾斜部に重なった状態を模式的に示す説明図である。（ｃ）は、図１に示された記録媒体再生装置の連動突起が高部に重なった状態を模式的に示す説明図である。
【図１８】（ａ）は、図１に示された記録媒体再生装置のクランプアームの突出片の平坦部とスライド部材の突出片が重なった状態を模式的に示す説明図である。
（ｂ）は、図１に示された記録媒体再生装置のクランプアームの突出片の傾斜部とスライド部材の突出片が重なった状態を模式的に示す説明図である。
（ｃ）は、図１に示された記録媒体再生装置のクランプアームの突出片とスライド部材の突出片とが離れた状態を模式的に示す説明図である。
【符号の説明】
１　記録媒体再生装置
２　ＣＤ（記録媒体）
３　機器本体
４　搬送ユニット（搬送機構）
１２　記録媒体挿入口
１７　シャーシ本体
１７ａ　表面
１７ｂ　裏面
１９　回転テーブル
２８　ローラアーム
２９　ローラ
５８　切り換え機構
５９　スライド駆動部（搬送機構）
６０　ピックアップ移動部
６１　モータ（駆動源）
６３ａ　切り換えロック機構
６３ｂ　ロックアーム
６３ｄ　アーム本体
６４　揺動アーム
６４ａ　一端部
６４ｂ　他端部
６５ｂ　伝達歯車
６６　規制突起
７２　二段歯車（第１の歯車）
７３　スライド部材
７９　溝
８０　広部
８１　狭部
８３　かさ歯車（第２の歯車）
８５　ねじ軸
８６　光ピックアップ部（ピックアップ部）
Ｋ　搬送方向
Ｒ　搬送経路
【図１】
2004145913.tif 000003
【図２】
2004145913.tif 000004
【図３】
2004145913.tif 000005
【図４】
2004145913.tif 000006
【図５】
2004145913.tif 000007
【図６】
2004145913.tif 000008
【図７】
2004145913.tif 000009
【図８】
2004145913.tif 000010
【図９】
2004145913.tif 000011
【図１０】
2004145913.tif 000012
【図１１】
2004145913.tif 000013
【図１２】
2004145913.tif 000014
【図１３】
2004145913.tif 000015
【図１４】
2004145913.tif 000016
【図１５】
2004145913.tif 000017
【図１６】
2004145913.tif 000018
【図１７】
2004145913.tif 000019
【図１８】
2004145913.tif 000020